(57)【要約】【課題】着脱容易で任意の撮影機におけるレンズに適合したアパーチャーの構造を提供する。【解決手段】アパーチャー本体１の前方に嵌合溝１１を設け、該嵌合溝１１中央に瞳孔１２を設け、更に該アパーチャー本体１上に駆動装置２を配置し、該駆動装置２の出力軸をアパーチャー本体１内の薄板と連結させ、該薄板が駆動装置２の制御を受けて前記瞳孔１２を開閉させ、光が自動的にレンズ４中に導入されるようにし、使用の際にはアパーチャー本体１をレンズ４に直接結合させる。【選択図】  図３
0003108853.tif 000002
【実用新案登録請求の範囲】
【請求項１】
瞳孔の開閉及び透光孔の口径を縮小すべく設けられた薄板を有する前記瞳孔の前方に設けたアパーチャー本体と、
前記アパーチャー本体上に結合され、出力軸を前記アパーチャー本体内の前記薄板に連結して該薄板を駆動させる駆動装置と、
前記駆動装置に連結され、該駆動装置の動作をコントロールするコントロール回路と、
を備え、前記アパーチャー本体の前方上に設けた嵌合溝を、任意の機種の撮影機のレンズ上に直接嵌合し、レンズとアパーチャー本体上の透光孔とを対応させることにより、光をレンズ内に導入することを特徴とするアパーチャーの構造。
【請求項２】
前記アパーチャー本体の瞳孔は、前記嵌合溝の中央個所に設置されることを特徴とする請求項１記載のアパーチャーの構造。
【請求項３】
前記駆動装置はモータであり、且つ前記コントロール回路が配線により接続されることを特徴とする請求項１記載のアパーチャーの構造。
【考案の詳細な説明】
【技術分野】
【０００１】
本考案は、撮影機におけるアパーチャーの構造に係り、特に任意の撮影機のレンズに直接嵌合するものであり、且つ着脱が容易なアパーチャーの構造に関する。
【０００２】
アパーチャーは、カメラやビデオカメラなどの撮影機中における不可欠なパーツの一つであり、撮影に必要な光を撮影機に導入し、撮影効果を鮮明にするものである。
【０００３】
図１及び図２に示すように、従来のアパーチャーは、撮影機のレンズＡの中央位置に開口Ｂが設けられ、前記レンズＡの上下に対応した位置には円孔Ｄが設けられており、該円孔Ｄは前記開口Ｂと連通している。アパーチャーＥの上下両端には、それぞれボルトＦが設けられており、該アパーチャーＥは前記レンズＡの開口Ｂにより該レンズＡ中に進入し、前記ボルトＦとレンズＡ上の円孔Ｄが合わせられる。前記ボルトＣが貫通し、固定されることでアパーチャーＥがレンズＡ中に固定され、該レンズＡの光がコントロールされる。
【考案の開示】
【考案が解決しようとする課題】
【０００４】
しかしながら、上述のような従来におけるアパーチャーの欠点としては、光をレンズ中に導入するが、アパーチャーとレンズとを結合する際に、先ずレンズ上にアパーチャーを設置する開口を設けた上、更にボルトによってこれを固定しなければならず、プロセスが複雑である他、部品や工具を用いるため時間とコストがかかると言える。また、ボルトでアパーチャーを固定する方法は、アパーチャーが一旦破損してしまうと、再び工具により取り外さなければならず、着脱が容易でないと言える。さらに、その結合方法から、従来のアパーチャーは、任意の撮影機におけるレンズに合うものではなく、一機種のサイズ等に合わせて製造しなければならない点も欠点として挙げられる。
【０００５】
本考案は上述した点に鑑みてなされたもので、着脱容易で任意の撮影機にのレンズに適合することができるアパーチャーの構造を提供することを目的とする。
【課題を解決するための手段】
【０００６】
前記目的を達成するため本考案によるアパーチャーの構造は、  瞳孔の開閉及び透光孔の口径を縮小すべく設けられた薄板を有する前記瞳孔の前方に設けたアパーチャー本体と、前記アパーチャー本体上に結合され、出力軸を前記アパーチャー本体内の前記薄板に連結して該薄板を駆動させる駆動装置と、前記駆動装置に連結され、該駆動装置の動作をコントロールするコントロール回路と、を備え、前記アパーチャー本体の前方上に設けた嵌合溝を、任意の機種の撮影機のレンズ上に直接嵌合し、レンズとアパーチャー本体上の透光孔とを対応させることにより、光をレンズ内に導入することを特徴とする。
【考案の効果】
【０００７】
本考案によれば、任意の撮影機におけるレンズに工具を使用せずとも直接嵌合でき、着脱が容易且つ経済的であるといった効果を有する。
【考案を実施するための最良の形態】
【０００８】
以下、図面を参照して本考案の実施例を説明する。  
【実施例】
【０００９】
図３及び図４に示すように、本実施例のアパーチャーの構造は、アパーチャー本体１を含み、該アパーチャー本体１は略長方形を呈しており、前方には嵌合溝１１が設けられ、該嵌合溝１１の中央には瞳孔１２が設けられている。また、前記アパーチャー本体１中には、薄板（図中なし）を設け、前記瞳孔１２が開閉できるようになっている。
【００１０】
駆動装置２はモータであり、前記アパーチャー本体１上に結合され、駆動装置２の出力軸は前記アパーチャー本体１中に挿入されて前記アパーチャー本体１内の薄板に連結されている。こうして駆動装置２は、前記薄板と連動し、アパーチャー本体１中にて自動的に移動可能になっている。瞳孔１２は、自動的に蓋によって開閉され、該瞳孔１２を開閉することによって透光面積をコントロールし、レンズに必要とする光量を導入するようになっている。
【００１１】
コントロール回路（図中無し）は、配線３により前記駆動装置２と接続され、該駆動装置２の動作をコントロールするようになっている。
【００１２】
前記アパーチャー本体１を撮影機のレンズ４上に結合させる際、該アパーチャー本体１の前方の嵌合溝１１をレンズ４上に直接嵌合させ、該レンズ４と該アパーチャー本体１の瞳孔１２とを合わせ、こうすることで駆動装置２により薄板の動作が自動的に制御され、適度の光をレンズ４中に導入し、適正な撮影を行えるようにしている。
【００１３】
図５及び図６に示すように、本実施例では、前記アパーチャー本体１の嵌合溝１１は、前記レンズ４上に直接嵌合するものであり、工具を用いなくとも該アパーチャー本体１を瞬時にレンズ４上に固定したり取り外しができるようになっており、機種やサイズに関係なく、任意のレンズ４に適応する（任意のレンズとはデジタルビデオカメラ５やデジタルカメラ、銀塩カメラ等におけるレンズ４を指す。）ことが可能である。
【図面の簡単な説明】
【００１４】
【図１】従来におけるアパーチャーとレンズを結合させた説明図である。
【図２】従来におけるアパーチャーとレンズの組み合わせた動作を示す説明図である。
【図３】本考案の実施例におけるアパーチャーの構造を示す斜視図である。
【図４】図３におけるアパーチャーの実施状態を示す説明図である。
【図５】図３におけるアパーチャーのもう一つの実施状態を示す説明図である。
【図６】図５の組み立て状態を示す斜視図である。
【符号の説明】
【００１５】
A  撮影機材のレンズ
B  開口
C  ボルト
D  円孔
E  アパーチャー
F  ボルトホール
1  アパーチャー本体
11  嵌合溝
12  瞳孔
2  駆動装置
3  配線
4  撮影機のレンズ
5 デジタルビデオカメラ
代理人  弁理士    伊藤  進
【図１】
0003108853.tif 000003
【図２】
0003108853.tif 000004
【図３】
0003108853.tif 000005
【図４】
0003108853.tif 000006
【図５】
0003108853.tif 000007
【図６】
0003108853.tif 000008